(57)【要約】【課題】最上昇位置でスライダがストッパに当接して当該スライダが停止した際にシーブを備えた取付プレートに作用する負荷の低減を図ることができる荷受台昇降装置における荷受台の最上昇位置決め装置を提供する。【解決手段】支柱３内のスライダ４に連結されたワイヤ６を、伸縮シリンダの伸縮動作により支柱３内に繰り出しもしくは支柱３内から引き込むことによりスライダ４を昇降作動させ、これにより当該スライダ４に支持された荷受台５が支柱３に沿って昇降自在に設けられる一方、最上昇位置決め装１０置によるスライダ４との当接によりスライダ４の上昇を阻止することによって荷受台５が最上昇位置で位置決め可能になされた荷受台昇降装置において、支柱３の上部には、ワイヤ６を導くシーブ３１を回転自在に支持する取付プレート１１が設けられるとともに、取付プレート１１には最上昇位置決め装置１０が設けられている。【選択図】  図２
2006001407.tif 000002
【特許請求の範囲】
【請求項１】
車輌の荷箱に立設された左右一対の支柱内にスライダが設けられるとともに、スライダに連結されたワイヤを、伸縮シリンダの伸縮動作により支柱内に繰り出しもしくは支柱内から引き込むことによりスライダを支柱に沿って昇降作動させ、これにより当該スライダに支持された荷受台が上記支柱に沿って昇降自在に設けられる一方、最上昇位置決め装置によるスライダとの当接により当該スライダの上昇を阻止することによって荷受台が最上昇位置で位置決め可能になされた荷受台昇降装置において、
前記支柱の上部には、前記ワイヤを導くシーブを回転自在に支持する取付プレートが設けられるとともに、該取付プレートには前記最上昇位置決め装置が設けられたことを特徴とする荷受台昇降装置における荷受台の最上昇位置決め装置。
【請求項２】
前記最上昇位置決め装置は、取付プレートに設けられた保持部材と、この保持部材に設けられ、前記スライダの上端部と当接する当接部材とを備えてなることを特徴とする請求項１記載の荷受台昇降装置における荷受台の最上昇位置決め装置。
【発明の詳細な説明】
【技術分野】
【０００１】
本発明は、荷受台昇降装置において、荷受台を最上昇位置で位置決めするための最上昇位置決め装置に関するものである。
【背景技術】
【０００２】
従来、車輌の荷箱に立設された左右一対の支柱内にスライダが設けられるとともに、スライダに連結されたワイヤを、伸縮シリンダの伸縮動作により支柱内に繰り出しもしくは支柱内から引き込むことによりスライダを支柱に沿って昇降作動させ、これにより当該スライダに支持された荷受台が上記支柱に沿って昇降自在に設けられた荷受台昇降装置が提供されている。
【０００３】
そして、このような支柱に沿って荷受台を昇降させる荷受台昇降装置では、荷受台が荷台と略面一となる最上昇位置で当該荷受台の上昇を強制的に停止させる最上昇位置決め装置が設けられている。
【０００４】
この最上昇位置決め装置としては、例えば支柱の上部にストッパブラケットを設けるとともに、スライダの上端部にストッパボルトを設けており、スライダが最上昇位置まで上昇した際にこのスライダのストッパボルトがストッパブラケットに当接することにより、当該スライダを介して荷受台を最上昇位置で停止させるようにしている（例えば、特許文献１参照。）。
【０００５】
また、図８に示すようにスライダａが最上昇位置まで上昇した際において、当該スライダａから支柱ｂの後面に形成された溝ｂ１を挿通して後方に突出したブラケットｃに当該支柱ｂに設けたストッパｄを当接させることによって、このブラケットｃに設けた荷受台ｅを最上昇位置で停止させるようにしたものもある。
【０００６】
そして、支柱ｂの上部には、スライダａに連結したワイヤｆを当該支柱ｂ内において導くシーブｇが設けられており、当該シーブｇは支柱ｂの上部側面に脱着自在に設けられた取付プレートｈに回転自在に支持されている。
【特許文献１】特開２００２−１１４０８０号公報
【発明の開示】
【発明が解決しようとする課題】
【０００７】
しかしながら、上記従来のように、シーブｇを支持する取付ブラケットｈと、ストッパｄとを支柱ｂに別個に設けているものでは、最上昇位置でスライダａがストッパｄに当接して当該スライダａが停止する際において、ワイヤｆの引張力をＦとした場合に、取付プレートｈにはシーブｇを挟んだワイヤｆによって下方に２Ｆの力が作用する構造になっていた。
【０００８】
本発明は、最上昇位置でスライダがストッパに当接して当該スライダが停止した際にシーブを備えた取付プレートに作用する負荷の低減を図り、これによる各部材の耐久性の向上や、構造の簡略化等を図ることができる荷受台昇降装置における荷受台の最上昇位置決め装置を提供することを目的とするものである。
【課題を解決するための手段】
【０００９】
上記の目的を達成するため、請求項１に係る発明の荷受台昇降装置における荷受台の最上昇位置決め装置は、車輌の荷箱に立設された左右一対の支柱内にスライダが設けられるとともに、スライダに連結されたワイヤを、伸縮シリンダの伸縮動作により支柱内に繰り出しもしくは支柱内から引き込むことによりスライダを支柱に沿って昇降作動させ、これにより当該スライダに支持された荷受台が上記支柱に沿って昇降自在に設けられる一方、最上昇位置決め装置によるスライダとの当接により当該スライダの上昇を阻止することによって荷受台が最上昇位置で位置決め可能になされた荷受台昇降装置において、
前記支柱の上部には、前記ワイヤを導くシーブを回転自在に支持する取付プレートが設けられるとともに、該取付プレートには前記最上昇位置決め装置が設けられたものである。
【００１０】
請求項２に係る発明の荷受台昇降装置における荷受台の最上昇位置決め装置は、前記最上昇位置決め装置は、取付プレートに設けられた保持部材と、この保持部材に設けられ、前記スライダの上端部と当接する当接部材とを備えてなるものである。
【発明の効果】
【００１１】
本発明によれば、最上昇位置でスライダが当接部材に当接して当該スライダを停止させる際において、シーブを備えた取付プレートに作用する負荷を低減させることができ、これによって最上昇位置でのスライダの当接停止に伴う衝撃による各部材の損傷などを抑制することができ耐久性の向上を図ることができるとともに、騒音の発生も小さくすることができる。
【発明を実施するための最良の形態】
【００１２】
以下、本発明の実施の形態について図面を参照して説明する。
【００１３】
図１は、荷受台昇降装置を示している。
【００１４】
荷受台昇降装置１は、車輌の荷箱２の後端に立設された左右一対の支柱３と、該支柱３内に昇降自在にそれぞれ挿入されたスライダ４（図２参照）と、左右のスライダ４の下端部に支持された荷受台５と、各スライダ４にそれぞれワイヤ６を介して連結された昇降シリンダ７とから構成されている。
【００１５】
具体的には、支柱３は、横断面が矩形状で中空の長尺体からなり、この内部にスライダ４が配置されている。スライダ４は、図２に示すようにその上端部及び途中部に昇降ローラ４１がそれぞれ設けられ、これら昇降ローラ４１によってスライダ４の昇降移動を円滑に行なうようにしている。
【００１６】
そして、これら左右のスライダ４の上端部には各ワイヤ６の一端部がそれぞれ止着されている。ワイヤ６は、スライダ４から上方に導かれ、支柱３の上部に設けられたシーブ３１によって下方に折り返されて前部側を下方に導かれた後、前記支柱３の下部からシーブ（図示省略）を経て昇降シリンダ７に導かれ、他端が適宜に止着されている。
【００１７】
昇降シリンダ７は、図１に示すように支柱３間に配設されたクロスメンバー８内の前部に配置されており、この昇降シリンダ７の伸縮作動により上述のように配置されたワイヤ６を支柱３内に繰り出し、もしくは支柱３内から引き込むことによりスライダ４を昇降作動させるようにしている。
【００１８】
荷受台５は、各スライダ４の下端部から後方に突出した左右のブラケット４２にその基端部両端が水平軸５１に支持され、支柱３に沿って起立する起立位置（格納状態）と、略水平な水平位置（作業状態）とに配置することができる。前記支柱３の後壁３２には上下方向に切欠溝３３（図１参照）が形成されており、左右のブラケット４２はこの切欠溝３３を挿通して支柱３から後方に突出配置されている。
【００１９】
従って、前述したように昇降シリンダ７によりスライダ４を昇降作動させることで、当該スライダ４に連結された荷受台５を水平状態を保持して地上と荷箱２の床面との間で昇降作動させることができる。
【００２０】
ところで、このように構成された荷受台昇降装置１には、図２に示すように荷受台５が最上昇位置に達した際に当該荷受台５の上昇を強制的に停止させるための最上昇位置決め装置１０が設けられている。
【００２１】
この最上昇位置決め装置１０は、図３乃至図５に示すように、支柱３の上部に着脱自在に取付けられる取付プレート１１と、この取付プレート１１に設けられた保持部材１２と、保持部材１２に上下方向の突出量が調整可能なようにねじ込んで設けられた当接部材としての当接ボルト１５（図２参照）とを備えている。
【００２２】
取付プレート１１は、図２に示すように支柱３の前後幅に対応した長方形状に形成された平板であり、当該支柱３の上部外側面に形成された開口部３ａを閉じるようにしてその四隅をネジ締め１１ａによって着脱自在に取付けられている。
【００２３】
上記保持部材１２は、上述したように取付プレート１１を支柱３に取付けた際に支柱３内に面する当該取付プレート１１の内側面に連結部材１４を介して配設されている。そして、保持部材１２は、ネジ孔が貫通形成されたナット部材で構成されている。
【００２４】
上記当接ボルト１５は、図６に示すようボルト部材１６の頭部１６ａに当接部１７が設けられてなるもので、ボルト部材１６のネジ棒部１６ｂが前記保持部材１２のネジ孔にねじ込み可能になされている。従って、保持部材１２に、当接部１７を下方にしてネジ棒部１６ｂを下方から所定量ねじ込んでナット１５ａで固定することで、当接部１７を保持部材１２から下方に突出した状態で配置させることができる（図２参照）。
【００２５】
このように当接ボルト１５を保持部材１２にネジ込んで配置するので、そのネジ込み量を調整することで当接部１７が保持部材１２から突出する長さを可変にすることができる。
【００２６】
当接部１７は、取付プレート１１を支柱３に取付けた際にスライダ４の上端部と当接する部位であり、緩衝部材としてのゴムなどの弾性部材１７ａが支持部材１７ｂを介して上記頭部１６ａにネジ止めされてなる。
【００２７】
また、前記取付プレート１１の連結部材１４は、前記保持部材１２を取付ける他、前記シーブ３１を回転自在に支持する部位にもなされている。具体的には、連結部材１４には、図５に示すように取付プレート１１と平行な２枚のプレート部１４ａ、１４ｂを有し、これらプレート部１４ａ、１４ｂの間に前記シーブ３１を配置し、プレート部１４ａ、１４ｂ及び取付プレート１１に一直線上にそれぞれ形成された通孔１４ｃ、１１ｂに挿入された支持ピン３１ａ（図２参照）によりシーブ３１を回転自在に支持している。
【００２８】
なお、以上説明した最上昇位置決め装置１０は、図１における左側の支柱３に設けられたもので、右側の支柱３には上記最上昇位置決め装置１０と基本的に同様で左右対称に構成された最上昇位置決め装置（図示省略）が設けられている。
【００２９】
次に、このように構成された最上昇位置決め装置１０による荷受台５の最上昇位置での位置決めについて説明する。
【００３０】
まず、スライダ４の上昇により荷受台５が所定の高さまで上昇すると、スライダ４の上端部が当接ボルト１５の当接部１７に当接し、この位置でスライダ４を介して荷受台５を強制的に上昇停止させることで荷受台５の最上昇位置が決定される。
【００３１】
また、保持部材１２に対する当接ボルト１５のねじ込み量、つまり保持部材１２から下方に突出する当接ボルト１５の当接部１７の上下位置を調整することで、その範囲内でスライダ４が当接する高さ位置を調整することができ、これにより荷受台５の最上昇位置を調整することができる。
【００３２】
ところで、上述のようにスライダ４の上端部が当接することによって荷受台５を最上昇位置で位置決めする当接ボルト１５は、保持部材１２と連結部材１４を介して取付プレート１１に一体的に設けられるとともに、この取付プレート１１にはワイヤ６が巻回されたシーブ３１も設けられている。
【００３３】
このため、最上昇位置でスライダ４が当接ボルト１５の当接部１７に当接して当該スライダ４を停止させる際には、図７に示すようにワイヤ６の引張力をＦとした場合に、シーブ３１からスライダ４側に垂下して当該スライダ４に連結された後側のワイヤ６ａでは、スライダ４が当接ボルト１５に当接した時に生じる力Ｆと打ち消し合うように作用し、これにより取付プレート１１にはワイヤ６の引張力に相当する１Ｆの力だけが作用することになる。
【００３４】
つまり、前述した従来の構造のものと比べて取付プレート１１に作用する負荷が半減することになり、これによって最上昇位置でのスライダ４の当接停止に伴う衝撃による各部材の損傷などを抑制することができ耐久性の向上を図ることができるとともに、騒音の発生も小さくすることができる。また取付プレート１１にシーブ３１と最上昇位置決め装置とを一緒に設けることで、シーブ３１と最上昇位置決め装置とを別々に設けるものに比べて構造を簡略化することができる。
【図面の簡単な説明】
【００３５】
【図１】荷受台昇降装置の全体の概略構成を示す斜視図である。
【図２】支柱に取付けた最上昇位置決め装置を示す側面図である。
【図３】取付プレート及び保持部材を示す正面図である。
【図４】図３におけるＡ矢視図である。
【図５】図３におけるＢ−Ｂ断面図である。
【図６】当接ボルトを示す側面図である。
【図７】ストッパとの当接によってスライダを最上昇位置で停止させたときの取付プレートに作用する負荷を説明するための概略図である。
【図８】従来の最上昇位置決め装置を示す側面図である。
【図９】従来におけるストッパとの当接によってスライダを最上昇位置で停止させたときの取付プレートに作用する負荷を説明するための概略図である。
【符号の説明】
【００３６】
１  荷受台昇降装置
２  荷箱
３  支柱
３１  シーブ
４  スライダ
５  荷受台
６  ワイヤ
１０  最上昇位置決め装置
１１  取付プレート
１２  保持部材
１５  当接ボルト（当接部材）
【図１】
2006001407.tif 000003
【図２】
2006001407.tif 000004
【図３】
2006001407.tif 000005
【図４】
2006001407.tif 000006
【図５】
2006001407.tif 000007
【図６】
2006001407.tif 000008
【図７】
2006001407.tif 000009
【図８】
2006001407.tif 000010
【図９】
2006001407.tif 000011